【事件の表示】
　特許第２８１８５９２号「使い捨てパンツ型着用物品」の請求項１〜３に係る特許に対する特許異議の申立てについて、次のとおり決定する。
【結　論】
　訂正を認める。
　特許第２８１８５９２号の請求項１〜３に係る特許を維持する。
【理　由】
 　　　　　理　　　　　　　由
１．手続の経緯
　本件特許第２８１８５９２号の発明については、平成２年９月２７日に出願した特願平２−２５９８３４号の一部を平成９年６月１１日に新たな特許出願としたものの出願であって、平成１０年８月２１日にその特許権の設定登録がされ、その後、花王株式会社及び武井　肇より特許異議の申し立てがされ、当審により取消しの理由が通知され、その指定期間内である平成１２年７月１７日に訂正請求（後日取下げ）がされた後、再度の取消しの理由が通知され、その指定期間内である平成１５年１月２８日に訂正請求がされたものである。
　
２．訂正の適否についての判断
　ア．訂正の内容
  特許権者が求めている訂正の内容は、以下のとおりである。
(i)訂正事項１
　特許請求の範囲の請求項１の第５段落と第６段落との間に「前記第２Ａおよび第２Ｂ弾性部材が前記股下域で互いに交差しており、」を挿入する。
(ii)訂正事項２
　特許請求の範囲の請求項１の第４段落第２行と、第５段落第２〜第３行（特許掲載公報の特許請求の範囲の請求項１の第４段落第２〜第３行と、同第５段落第３行）の「各側部」を「各側部分」と訂正する。
(iii)訂正事項３
　特許請求の範囲の請求項２を以下のとおり訂正する。
　「前記第２Ａおよび第２Ｂ弾性部材の前記中央部分が前記外面シートと前記コアのいずれにも接着することなく該コアの中央区域下面に位置している請求項１に記載の物品。」
(iv)訂正事項４
　明細書の段落番号【0005】第８行（同公報の段落番号【0005】第１２行）の「位置していること、」と「付根縁部」との間に、「前記第２Ａおよび第２Ｂ弾性部材が前記股下域で互いに交差していること、」を挿入する。
(v)訂正事項５
　明細書の段落番号【0005】第４行と、同段落番号第７行（同公報の段落番号【0005】第６行と、同段落第１１行）の「各側部」を、「各側部分」と訂正する。
　
　イ．訂正の目的の適否、新規事項の有無及び拡張・変更の存否  
　上記の訂正事項１は、特許請求の範囲の減縮を目的とした明細書の訂正に該当し、訂正事項２は、当該「各側部」が先行する訂正前の請求項１の第３段落第１行の「各側部分」を指すものであることが明らかであるから、誤記の訂正を目的とした明細書の訂正に該当し、訂正事項３は、特許請求の範囲の減縮を目的とした明細書の訂正に該当し、訂正事項４及び５は、それぞれ上記訂正事項１及び３に付随して生じる記載の不備を解消するものであって、明りょうでない記載の釈明を目的とした明細書の訂正に該当する。
　そして、上記の訂正事項は、特許明細書に記載された事項の範囲内のものであって、かつ、実質上特許請求の範囲を拡張し又は変更するものではない。
　
  ウ．独立特許要件の判断
　後述の「３．特許異議申立についての判断」に記載した理由により、訂正後の請求項１〜３に係る発明は、独立して特許を受けることができるものである。
　
　エ．むすび
　以上、イ及びウのとおりであるから、上記訂正請求は、特許法第１２０条の４第２項及び同条第３項で準用する第１２６条第２〜４項の規定に適合するので、当該訂正を認める。
　
３．特許異議の申立てについて
　ア．本件発明
　特許第２８１８５９２号の請求項１〜３に係る発明は、訂正明細書の請求項１〜３に記載された次のとおりのものである。
「【請求項1】透水性内面シートと、不透水性外面シートと、これら間に介在する吸収性コアとを有する積層体から構成され、股下域を介して位置する前後胴回域の対向側縁が接合され、第１弾性部材が伸縮可能に取り付けられた胴開口部と、第２弾性部材の各々が伸縮可能に取り付けられた一対の脚開口部とを有する使い捨てパンツ型着用物品において、
　前記脚開口部の第２弾性部材が第２Ａおよび第２Ｂ弾性部材からなり、
　前記第２Ａおよび第２Ｂ弾性部材の各々が中央部分とこれに連続する各側部分とからなり、
　前記第２Ａ弾性部材の前記中央部分が前記股下域のほぼ中央部に位置するとともに前記第２Ａ弾性部材の前記各側部分が前記一対の脚開口部のほぼ前半分の湾曲縁に沿って位置しており、
　前記第２Ｂ弾性部材の前記中央部分が前記股下域のほぼ中央部に前記第２Ａ弾性部材の前記中央部分と並列して位置するとともに前記第２Ｂ弾性部材の前記各側部分が前記一対の脚開口部のほぼ後半分の湾曲縁に沿って位置しており、
　前記第２Ａおよび第２Ｂ弾性部材が前記股下域で互いに交差しており、
　付根縁部と自由縁部とを有する一対のバリヤーフラップが、少なくとも前記股下域の内面の対向側部に前記物品の縦方向へ互いに並行に、しかも前記第２Ａおよび第２Ｂ弾性部材の前記各側部分の内側に隣接して配置され、前記バリヤーフラップが着用者の肌側へ起き上がり可能に第３弾性部材が前記自由縁部に沿って取り付けられていることを特徴とする前記物品。
【請求項２】前記第２Ａおよび第２Ｂ弾性部材の前記中央部分が前記外面シートと前記コアのいずれにも接着することなく該コアの中央区域下面に位置している請求項１に記載の物品。
【請求項３】前記第１Ａおよび第２弾性部材が前記物品の縦方向に対称形をなしている請求項１に記載の物品。」
　
　イ．申立の理由の概要
　特許異議申立人花王株式会社（以下、「申立人Ａ」という。）は、証拠として甲第１号証（特開昭５７−１１７６０２号公報）及び甲第２号証（特開昭６２−２５０２０１号公報）を提出し、訂正前の本件請求項１〜３に係る発明は、甲第１号証及び甲第２号証に記載された発明に基づいて当業者が容易に発明をすることができたものであるから、特許法第２９条第２項の規定に違反し、特許を取り消すべき旨主張する。
  また、特許異議申立人武井　肇（以下、「申立人Ｂ」という。）は、証拠として甲第１号証（特開昭５７−７７３０４号公報）、甲第２号証（特開昭６１−２０７６０５号公報）、甲第３号証（特開昭５８−１１５１０６号公報）、甲第４号証（特開昭６２−２５０２０１号公報、申立人Ａの甲第２号証と同じ）、甲第５号証（分割前のもとの出願の明細書および図面）、甲第６号証（分割後の新たな出願の明細書）、甲第７号証（米国特許第４，８４６，８２５号明細書）、甲第８号証（米国特許第４，８９７，０８４号明細書）、甲第９号証の１（特開平３−３３２０１号公報）、甲第９号証の２（特開平３−８２４６７号公報）、甲第９号証の３（特開平３−８６１５９号公報）、甲第９号証の４（特開平３−１３９３４９号公報）、甲第９号証の５（特開平３−１８６２６３号公報）、甲第９号証の６（特開平３−１９３０４９号公報）、甲第９号証の７（特開平３−２８０９５１号公報）、甲第９号証の８（特開平６−１９７９２５号公報）、甲第９号証の９（特開平８−２４２９０号公報）、甲第９号証の１０（特開平８−２４２９１号公報）、甲第９号証の１１（特開平７−２５５７７８号公報）、甲第９号証の１２（特開平７−２８９５８５号公報）、甲第９号証の１３（特開平７−２８９５８６号公報）、甲第９号証の１４（特開平７−２８９５８７号公報）、甲第９号証の１５（特開平７−２８９５８８号公報）、甲第９号証の１６（実開平３−１６９２０号公報）、甲第１０号証の１（特開平４−２８３６４号公報）、甲第１０号証の２（特開平４−２９６６４３号公報）、甲第１０号証の３（特開平５−１８４６２２号公報）、甲第１０号証の４（特開平６−２９６６３８号公報）、及び甲第１１号証（特願平１−３２８０２２号における補正却下の決定）を提出し、訂正前の本件請求項１〜３に係る発明は、甲第１号証〜甲第４号証に記載された発明に基づいて当業者が容易に発明をすることができたものであり、また甲第７及び８号証に記載された発明に基づいても当業者が容易に発明をすることができたものであるから、訂正前の本件請求項１〜３に係る発明は特許法第２９条第２項の規定に違反して特許されたものであるから、その特許は取り消されるべきであり（申立人Ｂの主張１）、さらに、明細書の記載に不備があるので、本件特許は、特許法第３６条第４項及び第６項に規定する要件を満たしていない特許出願に対してされたものであるから、その特許は取り消されるべきである（申立人Ｂの主張２）と主張する。
　
　ウ．申立人が提出した甲各号証記載の発明
　申立人Ａの提出した甲第１号証は、パンツ型のおしめブリーフを開示するものであり、「足を挿通する足開口部の湾曲した外周部の少なくとも一部に沿ってゴムひものような弾性部材が付設されこれにより足開口部においても大腿部に緊密に被着可能な使い捨てのおしめブリーフ」が記載（公報第２頁第２〜６行）され、甲第２号証は、バリヤカフス及びガスケットカフスを有する使い捨てオシメを開示するものであり、「バリヤカフス６２はこのようにガスケットカフス５６に隣接配置されて、分泌物の流れに対する有効な二重の抑制作用をなす。」と記載されている。
　申立人Ｂの提出した甲号証のうち、主張１に関する甲第１〜４号証及び甲第７〜８号証には、以下の記載がある。
　すなわち、甲第１号証は、おしめブリーフおよびその製造方法に関するものであり、その特許請求の範囲の第１項及び第２項には、以下の記載がある。
「１．湿気を通さない柔軟なシーツ材からなる外被シーツと、湿気を通す内面布と、前記シーツ材と前記内面布との間に配設される矩形の吸収性のある当て布とを備え、ウエスト部の少なくとも大部分にわたって前記シーツ材の内側の前記ウエスト部に弾性部材が付設され、前記ウエスト部から足挿入用の開口部へ延びる側部は前記シーツ材の両側部を重ねることなく閉鎖されてなる使い捨てのおしめブリーフ。
２．弾性部材が開口部の外周の少なくとも一部において付設されてなる特許請求の範囲第１項記載のおしめブリーフ。」　
　同甲第２号証には、「（１）液体浸透性の内部の身体側ライナと、前板及び後板を画成する液体不透過性の外部カバーと、これらライナとカバーとの間に配置された吸収性の芯材とを具備する形式の使い捨てパンツにおいて、一方の脚部開口と腰部開口とを有する立体的なパンツを形成するように上部の前板及び後板の側縁部分の一部を互いに接合する側部シームと、一方の脚部開口のまわりに延びる第１の伸縮手段、他方の脚部開口のまわりに延びる第２の伸縮手段及び腰部開口のまわりに延びる第３の伸縮手段とを具備し、・・・」（特許請求の範囲第１項）と記載され、同甲第３号証には、「（１）端縁に頂縁と底縁とを連結させる前身頃および後身頃と、これら身頃の間にあって股部をなす吸収パッドとを備えてなる使い捨てオムツ出会って、身頃のおのおのにはおむつのウエストバンドになる頂縁に沿った伸縮片があり、身頃はさらに側縁で互いに合わされ、身頃のおのおのには吸収パッドを協動して股部のシールとなる底縁に沿った伸縮片がある使い捨ておむつ。」が記載され、同甲第４号証は、上記申立人Ａの提出した甲第２号証と同じものであり、甲第７号証には、弾性体４０，４２を付設したフラップ３０，３２が股下部内面に、対向して縦方向に配置され、且つ弾性体４４，４６の内側に隣接配置してあるおむつが記載（Fig.１，Fig.4及び第７欄第２４〜３０行及び第５３〜５４行）され、甲第８号証は、使い捨ての液体吸収性物品に関するもので、Ｖ型のパターン５をもった弾性体４（本件請求項１〜３に係る発明における第２Ａ弾性部材に相当）とＶ型のパターン６をもった弾性体４（本件請求項１〜３に係る発明における第２Ｂ弾性部材に相当）があり、さらに脚開口部の前後半分の湾曲線に沿ってＶ型のパターン５，６が位置しているものが記載（Fig.１及び第４欄第１〜１２行）され、さらに弾性体（７，８）が股下部の中央で並列に位置しているものが記載(Fig.2)されている。
　
　エ．判断
（申立人Ａの主張について）
　甲第１号証及び甲第２号証には、本件請求項１に係る発明における構成要素である、一対の脚開口部に、第２Ａ及び第２Ｂ弾性部材を伸縮可能に取付け、その各々が中央部分を有し、股下域で互いに並列して位置するとともに、互いに交差する点については、全く記載するところがなく、当業者が甲第１号証及び甲第２号証に記載された発明に基づいてこのような構成を容易に想到し得たものとは認められない。
　そして、この構成を採用することにより、本件請求項１に係る発明は、製品を高速生産することが可能になる、などの明細書に記載された効果を奏するものであるから、本件請求項１に係る発明は、当業者が甲第１号証及び甲第２号証に記載された発明に基づいて容易になし得たものではない。
　本件請求項２及び３に係る発明は、本件請求項１に係る発明をさらに技術的に限定するものであるから、上記と同様の理由で、当業者が甲第１及び２号証に記載された発明に基づいて容易になし得たものではない。
　したがって、申立人Ａの主張は採用できない。
　
（申立人Ｂの主張について）
I.主張１について
　訂正前の請求項１は、上記訂正により減縮されて実質的に訂正前の請求項２に相当するものとなったので、本件請求項１に係る発明については、申立人Ｂの、訂正前の請求項２についての主張を本件請求項１に係る発明に対する主張と読み替えて検討すると、申立人Ｂは、本件請求項１に係る発明は、甲第４号証によって展開型の使い捨ておむつにおいて公知のＣ要件及びＤ要件、すなわち「付根縁部と自由縁部とを有する一対のバリヤーフラップが、少なくとも前記股下域の内面の対向側部に前記物品の縦方向へ互いに並行に、しかも前記第２Ａ及び第２Ｂ弾性部材の前記各側部分の内側に隣接して配置され」ること、及び「前記バリヤーフラップが着用者の肌側へ起き上がり可能に第３弾性部材が自由縁部に沿って取り付けられている」ことをそのまま甲第１〜３号証によって公知のパンツ型の使い捨ておむつに適用したものにおいて、さらに甲第１号証のFig.5で示されているような弾性部材の配置、すなわち「第２Ａおよび第２Ｂ部材が前記股下域で互いに交差している」ことを適用することは当業者が容易に想到し得たものである、と主張する。
　しかしながら、甲第１号証のFig.5に示されているのは、股下域の中心線附近で弾性部材が交差しているものであって、本件請求項１に係る発明における脚開口部附近の股下域で交差するもの（そうでなければ第２Ａ及び第２Ｂ弾性部材が股下域においてその中央部分が互いに並列に配置することはできない）とは全く異なる弾性部材の配置を示すものであるから、甲第１〜４号証には、一対の脚開口部に、第２Ａ及び第２Ｂ弾性部材を伸縮可能に取付け、その各々が中央部分を有し、股下域で互いに並列して位置するとともに、互いに交差する点については、全く記載するところがなく、当業者が甲第１〜４号証に記載された発明に基づいてこのような構成を容易に想到し得たものとは認められない。
　また、本件請求項１に係る発明の上記構成要件は、甲第７及び８号証にも記載されていないものであるから、同様に、当業者が甲第７及び８号証に記載された発明に基づいて請求項１に係る発明を容易に想到し得たものではない。
　そして、本件請求項１に係る発明は、このような構成を採用することにより上記のとおりの効果を奏するものであるから、本件請求項１に係る発明は、当業者が甲第１〜４号証及び甲第７〜８号証に記載された発明に基づいて容易になし得たものではない。
　本件請求項２及び３に係る発明は、本件請求項１に係る発明をさらに技術的に限定するものであるから、上記と同様の理由で、当業者が甲第１〜４号証及び甲第７〜８号証に記載された発明に基づいて容易になし得たものではない。
　したがって、申立人Ａの主張１は採用できない。
　
II.主張２について　
　申立人Ｂの主張２は、提出した甲第５及び６号証、甲第９号証の１〜１６、甲第１０号証の１〜４，及び甲第１１号証に基づいて、訂正前の本件請求項１〜３に係る発明について、概要、クロッチギャザーが交差して配置されたものに限定すべきである旨の主張をするものであるが、上記訂正により第２Ａ及び第２Ｂ弾性部材が股下域で互いに交差しているものとなったので、申立人Ｂの主張２は理由のないものとなった。
　したがって、申立人Ｂの主張はいずれも採用できない。
　以上のとおりであるから、本件特許は、申立人Ａ及びＢの特許異議申立ての理由及び証拠によっては取り消すことができない。
  また、他に本件発明の特許を取り消すべき理由を発見しない。
　
　よって、結論のとおり決定する。
【異議決定日】
平成１５年２月６日（２００３．２．６）
【訂正の要旨】
訂正事項
　特許第２８１８５９２号の明細書を請求書に添付された訂正明細書のとおり、すなわち、
▲１▼　特許請求の範囲請求項１の第５段落と第６段落との間（特許第２８１８５９２号公報の特許請求の範囲請求項１の第５段落と第６段落との間）に、
　「前記第２Ａおよび第２Ｂ弾性部材が前記股下域で互いに交差しており、」
　を挿入する。
▲２▼　同請求項１の第４段落第２行と、第５段落第２〜第３行（同公報の特許請求の範囲請求項１の第４段落第２〜第３行と、第５段落第３行）の「各側部」を、
　「各側部分」
　と訂正する。
▲３▼　同請求項２を以下のとおり訂正する。
　「前記第２Ａおよび第２Ｂ弾性部材の前記中央部分が前記外面シートと前記コアのいずれにも接着することなく該コアの中央区域下面に位置している請求項１に記載の物品。」
▲４▼　　明細書の段落【０００５】第８行（同公報の段落【０００５】第１２行）の「位置していること、」と「付根縁部」との間に、
　「前記第２Ａおよび第２Ｂ弾性部材が前記股下域で互いに交差していること、」
　を挿入する。
▲５▼　　明細書の段落【０００５】第４行と、同段落第７行（同公報の段落【０００５】第６行と、同段落の第１１行）との「各側部」を、
　「各側部分」
　と訂正する。
（５４）【発明の名称】
使い捨てパンツ型着用物品
（５７）【特許請求の範囲】
　【請求項１】　透水性内面シートと、不透水性外面シートと、これら間に介在する吸収性コアとを有する積層体から構成され、股下域を介して位置する前後胴回域の対向側縁が接合され、第１弾性部材が伸縮可能に取り付けられた胴開口部と、第２弾性部材の各々が伸縮可能に取り付けられた一対の脚開口部とを有する使い捨てパンツ型着用物品において、
　前記脚開口部の第２弾性部材が第２Ａおよび第２Ｂ弾性部材とからなり、
　前記第２Ａおよび第２Ｂ弾性部材の各々が中央部分とこれに連続する各側部分とからなり、
　前記第２Ａ弾性部材の前記中央部分が前記股下域のほぼ中央部に位置するとともに前記第２Ａ弾性部材の前記各側部
分
　前記第２Ｂ弾性部材の前記中央部分が前記股下域のほぼ中央部に前記第２Ａ弾性部材の前記中央部分と並列して位置するとともに前記第２Ｂ弾性部材の前記各側部
分
　
前記第２Ａおよび第２Ｂ弾性部材が前記股下域で互いに交差しており、
　付根縁部と自由縁部とを有する一対のバリヤーフラップが、少なくとも前記股下域の内面の対向側部に前記物品の縦方向へ互いに並行に、しかも前記第２Ａおよび第２Ｂ弾性部材の前記各側部分の内側に隣接して配置され、前記バリヤーフラップが着用者の肌側へ起き上がり可能に第３弾性部材が前記自由縁部に沿って取り付けられていることを特徴とする前記物品。
　
【請求項２】前記第２Ａおよび第２Ｂ弾性部材の前記中央部分が前記外面シートと前記コアのいずれにも接着することなく該コアの中央区域下面に位置している請求項１に記載の物品。
　【請求項３】
　前記第１Ａおよび第２弾性部材が前記物品の縦方向に対称形をなしている請求項１に記載の物品。
【発明の詳細な説明】
　【０００１】
　【産業上の利用分野】
　本発明は、使い捨てパンツ型着用物品に関し、さらに詳しくは、いわゆるトレニングパンツ、使い捨ておむつなどの、脚開口部に二重の弾性伸縮シール構造を有する使い捨てパンツ型着用物品に関する。
　【０００２】
　【従来の技術と課題】
　従来、例えば、使い捨ておむつやトレニングパンツとして、胴開口部および一対の脚開口部に弾性部材を取り付けたものが知られている。しかし、活発な歩行ないし運動をする程度に成長した幼児の場合、その歩行や運動によって排泄物が脚開口部から漏れることがある。
　【０００３】
　本発明の目的は、脚開口部の外側縁部よりも内側に、伸縮弾性を有するバリヤーフラップを備えることなどで、前記欠点を除去することができる使い捨てのパンツ型着用物品を提供することにある。
　【０００４】
　【課題を解決するための手段】
　前記目的を達成するための本発明は、透水性内面シートと、不透水性外面シートと、これら間に介在する吸収性コアとを有する積層体から構成され、股下域を介して位置する前後胴回域の対向側縁が接合され、第１弾性部材が伸縮可能に取り付けられた胴開口部と、第２弾性部材の各々が伸縮可能に取り付けられた一対の脚開口部とを有する使い捨てパンツ型着用物品の改良に係わる。
　【０００５】
　改良に係わる本発明は、前記脚開口部の第２弾性部材が第２Ａおよび第２Ｂ弾性部材とからなること、前記第２Ａおよび第２Ｂ弾性部材の各々が中央部分とこれに連続する各側部分とからなること、前記第２Ａ弾性部材の前記中央部分が前記股下域のほぼ中央部に位置するとともに前記第２Ａ弾性部材の前記各側部
分
分
前記第２Ａおよび第２Ｂ弾性部材が前記股下域で互いに交差していること、
　【０００６】
　【実施例】
　図面を参照して、本発明に係る物品の実施例を説明すると、以下のとおりである。
　【０００７】
　図１および図２に示すように、物品１は、胴開口部２と、一対の脚開口部３とを有し、それぞれの内部にそれらの周囲に沿って弾性部材４，５をそれぞれ取り付けてある。物品１は、各脚開口部３において弾性部材５が位置する部分よりも内側にバリヤーフラップ６をそれぞれ備え、それらの内部には弾性部材７をそれぞれ取り付けてある。物品１は、図２に示す展開状態にある積層体１１において股下域８を除く前後胴回域９，１０の対向側部を接合することで、パンツ型に構成してある。
　【０００８】
　図３および図４に示すように、積層体１１は、弾性伸縮性かつ透水性不織布から構成され物品の内面を形成する内面シート１２と、これと実質的に同じ不織布１３ａおよびその内面に重ね合わせられたプラスチックまたはゴムの弾性伸縮性かつ不透水性フィルム１３ｂから構成されていて物品の外面を形成する外面シート１３と、フラッフパルプ、熱可塑性繊維および水不溶性かつ超吸水性ポリマーのパウダーから砂時計型に成形されたマットまたはシート状の吸収性コア１４を含んでいる。
　【０００９】
　前記弾性伸縮性かつ透水性不織布としては、目付２５〜４５ｇ／ｍ２であって、繊度０．５〜３ｄの熱捲縮繊維をカーディングしてウエブを形成し、これを熱処理してシート状形態を賦与したものが好ましい。
　【００１０】
　前記弾性伸縮性かつ不透水性フィルム１３ｂは、不織布１２，１３ａよりも大きい弾性強力（伸長応力）を有していることが好ましいが、両者のそれが実質的に同等であってもよい。
　【００１１】
　股下域８における内面および外面シート１２，１３の対向側縁には、脚開口部３を画成するための凹欠部８ａを形成してあり、全体的に内方向へ湾曲している。前後胴回域９，１０の胴回端縁部および凹欠部８ａの縁部に沿うそれら部位における内面シート１２とフィルム１３ｂとの間には、弾性部材４，５を配置してある。胴回用の弾性部材４は、前後胴回域９，１０の端縁部と平行にかつ伸長下に、内面シート１２および／またはフィルム１３ｂにホットメルト型接着剤で接着してある。脚回用の弾性部材５は、部材５Ａと、部材５Ｂとから構成してある。部材５Ａ，５Ｂは、中央部分５Ａ２，５Ｂ２と、これらにそれぞれ連続する各側部分５Ａ１，５Ｂ１とから構成してある。部材５Ａは、中央部分５Ａ２を股下域８のほぼ中央部に位置させるとともに、部材５Ａの各側部
分
分
　【００１２】
　コア１４は、その上面を内面シート１２にドット状に付着した前記同効接着剤を介して固定してある。このようにすることで、コア１４が最少限移動しないようにすることができるとともに、内面シート１２がコア１４の上面から浮くことにともなう排泄液の内面シート１２からコア１４への吸収阻害をなくすことができ、しかも、内面および外面シート１２，１３の弾性伸縮をあまり阻害しないようにすることができる。
　【００１３】
　弾性部材５の両側部分５Ａ１，５Ｂ１の内側に隣接する部位における内面シート１２の上面には、付根縁部６ａと自由縁部６ｂを有する一対のバリヤーフラップ６を積層体１１の縦方向に互いに並行に延在するように配置してある。バリヤーフラップ６は、透湿性かつ不透水性の一枚の不織布を折り返してスリーブを形成し、少なくとも自由縁部６ｂ内に弾性部材７を伸長下に前記同効接着剤で接着し、付根縁部６ａを内面シート１２の上面に前記同効接着剤で接着するとともに、該バリヤーフラップを外側へ倒してその長さ方向端部を内面シート１２の上面に前記接着剤で接着してある。ただし、バリヤーフラップ６は、これを内側へ倒してその長さ方向端部を内面シート１２の上面に前記接着剤で接着してもよい。バリヤーフラップ６は、内外側のいずれに倒してその長さ方向端部内面シート１２の上面に固定しても、弾性部材７の収縮力で起き上がる。また、バリヤーフラップ６の内面シート１２の上面に対する接着は融着手段でもよいことはいうまでもない。
　【００１４】
　こうした積層体１１には、バリヤーフラップ６よりも外側に位置する前後胴回域９，１０の互いに重なり合う内面および外面シート１２，１３の部位に、これらシートを貫通する複数の通気孔１５を設けてある。通気孔１５は、径０．２〜２ｍｍであって、所与の配列間隔を有する加熱針または突起群で形成され、該通気孔の内周縁における不織布１２，１３ａは、フィルム１３ｂを介して一体的に融着していることが好ましい。
　【００１５】
　内面シート１２および外面シート１３の外周縁は、ヒートシールもしくはソニックシールまたは前記同効接着剤で接合することができる。
　【００１６】
　こうして構成した積層体１１は、内面シート１２が内側に位置するように股下域８の中央部で縦方向に二つに折り重ねて前後胴回域９，１０の対向側縁をヒートシールまたはソニックシールすることで、図１に示すパンツ型の物品１に構成してある。このシールは、物品１を着用しているときには前後胴回域９，１０の対向側縁が不用意に引き裂かれない一方、物品１を着用者から脱がせるときには比較的容易に引き裂くことができるようになしてある。こうしたシールの好ましい一つの態様として、シールを前後胴回域９，１０の対向側縁に沿って間欠的に施こすことができる。
　【００１７】
　図５に示すように、前記構成を有する物品１においては、弾性部材５の長さ方向両端部５ａ，５ｂが実質的に互いに連結している。ここにおいて、実質的に互いに連結しているとは、両端部５ａ，５ｂが、互いに直接ではなく、内面シート１２を介して間接的に接合しているからであるが、両端部５ａ，５ｂどうしが厳密に一直線状に位置していなくても、両端部５ａ，５ｂにおいて弾性部材５が作る弾性伸縮線が実質的に連らなることを意味する。
　【００１８】
　【発明の効果】
　本発明に係る物品によれば、下記の効果を奏する。
　【００１９】
　第２弾性部材を有する脚開口部が着用者の大腿を包囲しこれに密接するとともに、その内側に第３弾性部材を有するバリヤーフラップが該弾性部材の収縮力で着用者の肌側へ起き上がるから、前記脚開口部はその内外側が二重にシールされることになる。したがって、着用者の歩行ないし運動が活発であっても、前記脚開口部から排泄物が漏れるのを防止することができる。
【図面の簡単な説明】
　【図１】
　本発明に係る物品の斜視図。
　【図２】
　物品の前後胴回域を分離し、かつ、各弾性部材の作用で胴および脚回りがやや収縮した状態の展開斜視図。
　【図３】
　物品の各部材を緊張状態で示す分解斜視図。
　【図４】
　図２のＩＶ−ＩＶ線断面図。
　【図５】
　物品の側面図。
　【符号の説明】
　２　　胴開口部
　３　　脚開口部
　４　　弾性部材（第１）
　５　　弾性部材（第２）
　６　　バリヤーフラップ
　６ａ　　付根縁部
　６ｂ　　自由縁部
　７　　弾性部材（第３）
　８　　股下域
　８ａ　　凹欠部
　９　　前胴回域
　１０　　後胴回域